(57)【要約】【課題】航空機等の移動体に配設された座席端末装置などにおいて操作機器を使用する場合に、機器収納装置からの操作機器の脱却を行うための操作機器押出し機構を有し、簡易な構成でゴムなどの傷つけ防止部材が容易に脱却せず、品質および操作性、作業性に優れた機器押出し構造、および機器収納装置を提供することを目的とする。【解決手段】プッシュラバー６０３の挿入部６０３ｄ側から、プッシュピン６０２に挿入し、そのまま押し込めば、プッシュピン６０２の係合部６０２ａと係合爪６０３ｂとが係合し、この状態では、プッシュラバー６０３がプッシュピン６０２の先端から飛び出している部分は半球面６０３ａのみであるため、指などでは摘みにくく、従って容易に取り外されることはない。【選択図】図８
2010260382.tif 000002
【特許請求の範囲】
【請求項１】
押出し対象機器を保持する保持面を有する押出し対象機器保持部と、
前記押出し対象機器に当接する面が略半球状に形成された半球部と、前記半球部と同じ直径で連接する円柱部と、前記円柱部の途中から前記半球部の反対側まで前記直径に対し所定の幅で切り欠かれた挿入部と、前記挿入部の円周面から突出させた係合爪とを有するプッシュラバーと、
前記プッシュラバーの半球部が露出するように前記挿入部が挿入され、前記係合爪が係合する係合部と、前記挿入部が挿入される反対側に形成された円筒部と、前記押出し対象機器保持部から脱落防止のための抜け止め部とを有し、前記保持面より所定長突出して前記押出し対象機器を押し上げるプッシュピンと、
前記押出し対象機器保持部に固定され、前記プッシュピンを可動に保持する筒状のプッシュピンガイド部と、
一端が前記プッシュピンの前記円筒部の円筒内に挿入されるバネと、
前記押出し対象機器保持部に固定され、前記バネの他の一端を保持するバネ保持部と、
から構成されることを特徴とする機器押出し構造。
【請求項２】
前記プッシュラバーの半球部の球先端のみが前記プッシュピンから露出するように前記円柱部が挿入されることを特徴とする請求項１記載の機器押出し構造。
【請求項３】
前記プッシュラバーは弾性を有することを特徴とする請求項１記載の機器押出し構造。
【請求項４】
請求項１から３のいずれかに記載の機器押出し構造を有し、
前記押出し対象機器を収納すべく前記押出し対象機器の形状に合わせた収納部と、
前記押出し対象機器を掛止する掛止爪と、
前記掛止爪を可動し、掛止を解除するための掛止解除部と、で構成されたことを特徴とする機器収納装置。
【請求項５】
前記押出し対象機器を収納する収納部の深さは、前記押出し対象機器の厚み方向の寸法と略同一またはそれ以上であることを特徴とする請求項４記載の機器収納装置。
【請求項６】
座席の肘掛部に配設されることを特徴とする請求項５記載の機器収納装置。
【発明の詳細な説明】
【技術分野】
【０００１】
本発明は、着脱可能な情報端末装置等の機器を収納保持するための機器に設けられる機器押出し構造、および機器収納装置に関する。
【背景技術】
【０００２】
近年、航空機等の移動体内にＡＶ（Ａｕｄｉｏ Ｖｉｓｕａｌ）コンテンツ配信システムを搭載し、乗客用の各座席に設置された座席端末装置に対して映画や音楽を配信するサービスを行う事例が普及している。
【０００３】
このシステムでは、通常、乗客が各座席に配設された携帯型の操作機器により座席端末装置の操作を行うことができる。また、この操作機器は、航空機内で無線が使えないという技術的な理由や、紛失あるいは乗客が間違って持ち帰ることを防止するために各座席の肘掛部などに設けられた機器収納装置に収納され、コード（有線）で接続されているのが一般的である。
【０００４】
収納された操作機器は、機器収納装置に設置された押出しボタン等により操作機器の一部が押し出され、突き出た部分を人の手により把持して機器収納装置から完全に引き出す構造となっている。
【０００５】
このような機器収納装置が備えるべき条件としては、機器収納装置に、極力操作機器に傷を付けずに持ち上げる機構を有し、且つ安定した操作機器の機器収納装置からの取り出しを可能にすることが要求される。
【０００６】
このような操作機器の押出し機構としては、リフト部材とコイルばねを本体に装着後係合され、装置を押し出す機構が提案されている（例えば、特許文献１を参照）。
【先行技術文献】
【特許文献】
【０００７】
【特許文献１】実用新案登録第３１４４６３９号公報
【発明の概要】
【発明が解決しようとする課題】
【０００８】
しかしながら、上記提案される構成では、操作機器への傷付き防止のためにリフト部材の操作機器接触側に、ゴムなどの弾性材料からなる緩衝シートを、貼り付けもしくは取り付ける必要があるが、その際に広い面積が必要であり、構成上多くのスペースを必要とする。また、組立て時の工数が増えるだけでなく、作業時間に関しても多くの時間を費やす。更に、剥き出しとなる傷つけ防止部材は、使用者により剥がされる危険性が高い。
【０００９】
本発明は、上記の課題を解決するためになされたものであり、航空機等の移動体に配設された座席端末装置などにおいて操作機器を使用する場合に、機器収納装置からの操作機器の脱却を行うための操作機器押出し機構を有し、簡易な構成でゴムなどの傷つけ防止部材が容易に脱却せず、品質および操作性、作業性に優れた機器押出し構造、および機器収納装置を提供することを目的とする。
【課題を解決するための手段】
【００１０】
上述したような目的を達成するために、本発明の機器押出し構造は、押出し対象機器を保持する保持面を有する押出し対象機器保持部と、押出し対象機器に当接する面が略半球状に形成された半球部と、半球部と同じ直径で連接する円柱部と、円柱部の途中から半球部の反対側まで直径に対し所定の幅で切り欠かれた挿入部と、前記挿入部の円周面から突出させた係合爪とを有するプッシュラバーと、プッシュラバーの半球部が露出するように前記挿入部が挿入され、前記係合爪が係合する係合部と、前記挿入部が挿入される反対側に形成された円筒部と、押出し対象機器保持部から脱落防止のための抜け止め部とを有し、前記保持面より所定長突出して押出し対象機器を押し上げるプッシュピンと、押出し対象機器保持部に固定され、プッシュピンを可動に保持する筒状のプッシュピンガイド部と、一端がプッシュピンの円筒部の円筒内に挿入される圧縮バネと、押出し対象機器保持部に固定され、圧縮バネの他の一端を保持するバネ保持部と、から構成されることを特徴とする。
【００１１】
また、プッシュラバーの半球面の球先端のみが前記プッシュピンから露出するように前記挿入部が挿入されることを特徴とする。
【００１２】
また、機器押出し構造を有する機器収納装置は、押出し対象機器を収納すべく押出し対象機器の形状に合わせた収納部と、押出し対象機器を掛止する掛止爪と、掛止爪を可動し、掛止を解除するための掛止解除部と、で構成されることを特徴とする。
【００１３】
また、押出し対象機器を収納する収納部の深さは、押出し対象機器の厚み方向の寸法と略同一であることを特徴とする。
【００１４】
このような構成により、プッシュラバーの先端を指等で摘み難くし、プッシュラバーがプッシュピンより抜けなくすることを可能とする。
【００１５】
また、構成する部品が少なく、操作機器押出し機構のサイズを小さくできるだけでなく、組立性が簡易であり、品質も向上することができる。更に、取り付けが簡易であるため、プッシュラバーの部品交換も容易でありサービス性が良い。
【発明の効果】
【００１６】
本発明による機器押出し構造、および機器収納装置によれば、航空機等の移動体内の座席に配設される操作機器を取り出す際に、操作機器を傷つけず取り出す事が出来るだけでなく、使用者が故意に押出し機構を破壊することを防ぐことができる。また、押出し機構を簡易に構成する事ができ、スペース的にも優位である。更に、弾性体を外部から挿入することができ、組立性も簡易な上、部品交換時の作業も容易であるなど、品質に優れた機器押出し構造、および機器収納装置を提供することができる。
【図面の簡単な説明】
【００１７】
【図１】機器押出し構造を有する機器収納装置が使用される航空機内の平面図
【図２】同航空機内の客室の側面図
【図３】座席における座席端末装置の使用事例の概要を示す説明図
【図４】座席における操作機器の配設事例を示す説明図
【図５】同操作機器の配設方法の概略を示す斜視図
【図６】本発明の実施例における機器収納装置の主要な構成を示す断面図
【図７】同機器収納装置と機器押出し構造の構成を示す説明図
【図８】同機器押出し構造の詳細構成図
【図９】同プッシュラバーの外観斜視図
【発明を実施するための形態】
【００１８】
以下、本発明の実施の形態について、移動体の一つである航空機内の客室において、各座席に配設された座席端末装置の操作機器収納装置に登載された操作機器押出し構造を例に説明する。
【実施例１】
【００１９】
まず、本発明の実施例１における機器押出し構造を有する機器収納装置が使用されるＡＶコンテンツ配信システム１（以下、本システム１と略記する）について、図１〜図４により説明する。
【００２０】
図１（ａ）は航空機内全体の平面図、図１（ｂ）は客室部分の平面図、図２は客室の側面図である。図１および図２に示すように、航空機の客室１００は、前後にギャレイ等の仕切り部１０３ａ、１０３ｂ等が配置され、通路１０１により２つの座席列に区画されている。また、通路１０１を挟んで両側にそれぞれ３つの座席を１つのユニットとして前後方向にＮ列（座席１Ｍ、２Ｍ、３Ｍ、・・・、ＮＭ）、左右方向にＭ行（座席１Ｎ、２Ｎ、３Ｎ、・・・、ＭＮ）の座席が配置される。
【００２１】
各座席の乗客は前の座席の背面に配設された座席端末装置１０２の表示部および自座席のヘッドホン１０４を利用して映画などのＡＶコンテンツを視聴する。先頭の座席では座席端末装置１０２は保持仕切り壁１０５（図１では、保持仕切り壁１０５ａ、１０５ｂ）に配設される。座席端末装置１０２は床下に敷設されたネットワークＣ１に接続され、ネットワークＣ１を経由してＡＶコンテンツ配信用のサーバ装置（図示せず）から配信されたＡＶコンテンツを受信する。
【００２２】
各座席の肘掛部にはハンドセットなどの操作機器（図示せず）が着脱可能に収納されており、乗客はこの操作機器を用いて、座席端末装置１０２の電源操作、視聴したいコンテンツの選択、あるいはヘッドホン１０４に出力する音声の音量等の調整を行う。また、この操作機器により座席端末装置１０２の操作以外にも、客席照明の調整や座席のリクライニングの調整等も行うことができる。
【００２３】
つぎに、各座席における座席端末装置の配設に係わる概略の構成について、図３から図５により説明する。
【００２４】
図３は座席における座席端末装置の使用事例の概要を示す説明図、図４は座席における操作機器の配設事例を示す説明図で、図４（ａ）は正面図、図４（ｂ）は平面図、図５は操作機器の配設方法の概略を示す斜視図である。
【００２５】
図３に示すように、座席３０２の利用者（乗客）３０１は、本システム１の座席端末装置１０２を利用することができる。利用者３０１は座席３０２の腰掛部３０２ａに着席して前の座席の背もたれ部３０２ｄの背面に配設された座席端末装置１０２の表示部１０２ａに表示される画面を視聴しながら、肘掛部３０２ｂからコード１０２ｃにより座席端末装置１０２と接続された操作機器１０２ｂを引き出して、座席端末装置１０２の操作を行うことができる。
【００２６】
図４は、座席３０２における利用者３０１と座席３０２および操作機器１０２ｂとの関係を示しており、操作機器１０２ｂは座席３０２の肘掛部３０２ｂに配設された操作機器収納装置３０３に収納され、利用者３０１が座席端末装置１０２を使用する場合には、操作機器１０２ｂを操作機器収納装置３０３から引き出すことができる。図５は肘掛部３０２ｂにおける操作機器１０２ｂの配設方法を示し、利用者３０１が操作機器１０２ｂを使用する場合、操作機器収納装置３０３から取り出してコード１０２ｃを肘掛部３０２ｂから導出する。操作機器１０２ｂの使用が終了した場合には、ラッチ機構により操作機器１０２ｂを操作機器収納装置３０３に容易に収納することができる。なお、操作機器１０２ｂは、操作ボタン１０２ｄを押すことにより、座席端末装置１０２に対して使用上の指示を行うことができる。
【００２７】
つぎに、本実施例の操作機器収納装置３０３に係わる詳細な構成および機能・効果について、図６〜図８により説明する。図６は本実施例における機器収納装置の主要な構成を示す断面図、図７は操作機器収納装置と操作機器押出し機構の説明図で、図７（ａ）は平面図、図７（ｂ）は断面斜視図、図８は操作機器押出し機構の詳細構成図で、図８（ａ）は平面図、図８（ｂ）はＸ−Ｘ方向、図８（ｃ）はＹ−Ｙ方向の断面図、また、図９はプッシュラバーの外観斜視図である。
【００２８】
図６に示すように、押出し対象機器である操作機器１０２ｂは、図５で説明したコード１０２ｃにより操作機器収納装置３０３と接続され、その内側に装着されている。操作機器１０２ｂは、操作機器収納装置３０３に配置されたイジェクトボタン３０４を押すことにより、操作機器１０２ｂの凹部にかけられていた操作機器収納装置３０３に配置されたラッチ３０５が奥に退き、図のように、操作機器１０２ｂが操作機器押出し機構６０１によって押出される。
【００２９】
なお、図６は、操作機器１０２ｂが操作機器押出し機構６０１により押し上げられた状態を示しているが、操作機器１０２ｂが収納された状態では、操作機器１０２ｂの上面が操作機器収納装置３０３の上面３０３ａとほぼ同一面またはそれ以下となるように収納される。これにより、操作機器１０２ｂが外部から衝撃などの影響を受けにくくなる。
【００３０】
図７（ｂ）は操作機器押出し機構６０１の構成を示す断面図、図８はその詳細断面図を表している。以下、操作機器押出し機構６０１について説明する。操作機器押出し機構６０１は、操作機器１０２ｂに当接する面が半球状に構成された半球面６０３ａと、プッシュピン６０２に外部から挿入し係合可能とするために係合爪６０３ｂとを有する弾性を有したプッシュラバー６０３と、プッシュラバー６０３の半球面６０３ａの球先端のみ露出させるようにプッシュラバー６０３との係合部６０２ａを構成し、操作機器収納装置３０３の保持面３０３ｂから一定長さ突出して操作機器１０２ｂを押し上げる円筒状の本体部６０２ｂ、およびプッシュピン６０２が操作機器収納装置３０３から脱落しないように、抜け止めのためのフランジ部６０２ｃを設けた可動のプッシュピン６０２と、一端をプッシュピン６０２の円筒内に挿入される圧縮バネ６０４と、プッシュピン６０２に挿入した圧縮バネ６０４の片端を保持する筒状部６０５ａと、自身を操作機器収納装置３０３本体に締結するための締結部６０５ｂを有するホルダー６０５と、プッシュピン６０２を可動に保持するガイドリング６０６とから構成される。
【００３１】
また、操作機器収納装置３０３は、操作機器１０２ｂを収納すべく操作機器１０２ｂの形状に合わせた窪みを有し、窪みの底面である保持面３０３ｂにはホルダー６０５を介してこれら一連の部材を保持する結合部を設け、且つ、バネ力に反して操作機器１０２ｂの凹部を保持するラッチ３０５と、それを解除するためのイジェクトボタン３０４で構成される。
【００３２】
ここで、プッシュラバー６０３について詳述すれば、図８および図９に示すように、半球面６０３ａと同じ直径で隣接するように円柱部６０３ｃが形成され、円柱部６０３ｃの途中から半球面６０３ａの反対側まで、直径に対し所定の幅で切り欠いた挿入部６０３ｄと、切り欠いていない円柱部６０３ｃの円周面から突出させた係合爪６０３ｂとを有している。
【００３３】
プッシュラバー６０３をプッシュピン６０２に装着するには、プッシュラバー６０３の挿入部６０３ｄ側から、プッシュピン６０２に挿入し、そのまま押し込めば、プッシュピン６０２の係合部６０２ａとプッシュラバー６０３の係合爪６０３ｂとが係合する。
【００３４】
この状態では、プッシュラバー６０３がプッシュピン６０２の先端から飛び出している部分は半球面６０３ａのみであるため、指などでは摘みにくく、従って容易に取り外されることはない。
【００３５】
また、プッシュラバー６０３を故意に摘んで引っ張った際の半球面６０３ａ保持のための摩擦力よりプッシュラバー６０３自身が伸びて発生する弾性力が勝り、且つこの弾性力よりプッシュラバー６０３の係合爪６０３ｂの保持力が勝るよう、プッシュラバー６０３の飛び出し量を設定する事により、手が滑って保持できなくなりプッシュラバー６０３がプッシュピン６０２より外れなくすることができる。
【００３６】
また、プッシュラバー６０３の半球面６０３ａを故意に摘んでプッシュラバー６０３が伸びた際でも、プッシュラバー６０３の半球面６０３ａに隣接する円柱部６０３ｃがよりつまみ易い位置まで伸びないよう、プッシュラバー６０３の弾性率を設定することにより、プッシュラバー６０３がプッシュピン６０２より外れなくすることができる。
【００３７】
なお、本実施例では、操作機器収納装置３０３から脱落しないように、プッシュピン６０２にフランジ部６０２ｃを設けたが、これを抜け止めピンなどに変えてもよい。
【００３８】
なお、本実施例では押出し対象機器として、航空機のＡＶコンテンツ配信システムに使用する操作装置を例示したが、本発明はこれに限るものではなく、電話などの情報端末装置であってもよいことは言うまでもない。
【産業上の利用可能性】
【００３９】
本発明の機器押出し構造および機器収納装置は、航空機のような移動体内で利用される操作機器収納装置に限らず、操作機器を押出すような機能を備えた装置に利用することができる。
【符号の説明】
【００４０】
１００  客室
１０１  通路
１０２  座席端末装置
１０２ａ  表示部
１０２ｂ  操作機器
１０２ｃ  コード
１０３ａ、１０３ｂ  仕切り部（ギャレイ）
１０４  ヘッドホン
１０５、１０５ａ、１０５ｂ  保持仕切り壁
３０１  利用者
３０２、１Ｍ、２Ｍ、３Ｍ、４Ｍ、５Ｍ、６Ｍ、ＮＭ、１Ｎ、２Ｎ、３Ｎ、ＭＮ  座席
３０２ａ  腰掛部
３０２ｂ、３０２ｃ  肘掛部
３０２ｄ  背もたれ部
３０３  操作機器収納装置
３０３ａ  上面
３０３ｂ  保持面
３０４  イジェクトボタン
３０５  ラッチ
６０１  操作機器押出し機構
６０２  プッシュピン
６０２ａ  係合部
６０２ｂ  本体部
６０２ｃ  フランジ部
６０３  プッシュラバー
６０３ａ  半球面
６０３ｂ  係合爪
６０３ｃ  円柱部
６０３ｄ  挿入部
６０４  バネ
６０５  ホルダー
６０５ａ  筒状部
６０５ｂ  締結部
６０６  ガイドリング
Ｃ１  ネットワーク
【図１】
2010260382.tif 000003
【図２】
2010260382.tif 000004
【図３】
2010260382.tif 000005
【図４】
2010260382.tif 000006
【図５】
2010260382.tif 000007
【図６】
2010260382.tif 000008
【図７】
2010260382.tif 000009
【図８】
2010260382.tif 000010
【図９】
2010260382.tif 000011